(57)【要約】【課題】輪郭のはっきりした長尺状の光を地面から出射することができる地面用発光装置を提供すること。【解決手段】本発明の地面用発光装置１００は、主として、光源部材１０、導光部材２０、導光部材２０を保持する溝形保持部材３０、透光性部材４０、カバー部材５０及びこれらが配置される基部６０を備えているものとした。本発光装置１００は、この光出射面に対応した形状及び大きさの導光部材を内部に配置しているため、光源からの光を効率良く光出射面に集中させることができる。例えば、長尺状の光を発光させる場合には、光出射面を長尺状に形成し、その下方に長尺状の導光部材を配置することで、光源の光を効率良く長尺状の光出射面に出射することができる。【選択図】図１
2013258132.tif 000002
【特許請求の範囲】
【請求項１】
光源としてＬＥＤを有する光源部材と、
前記光源部材からの光を端面から導入して上面から導出する長尺状の導光部材と、
前記導光部材の両側の側面及び底面の少なくとも一部を覆う溝形保持部材と、
前記導光部材の上面を覆うように配置され、上面に長尺状の凸部を有する透光性部材と、
前記凸部が略中央に挿入されて上表面に露出させる被挿入部を有するカバー部材と、
前記溝形保持部材が配置される断面略Ｕ字型の基部と、
を備えていることを特徴とする地面用発光装置。
【請求項２】
前記導光部材は前記側面に導入された光を拡散する拡散ドットが形成されており、
前記側面は、前記端面側から中央に向かうにしたがって前記側面の高さ方向の幅が狭くなるように前記底面及び前記側面が切り欠いて形成される切欠面を有することを特徴とする請求項１記載の地面用発光装置。
【請求項３】
前記導光部材の前記切欠面には、補強用リブが形成されていることを特徴とする請求項２に記載の地面用発光装置。
【請求項４】
前記導光部材の側面、底面又は端面側近傍の上面の少なくとも１以上の面に反射フィルム又はシートを設けたことを特徴とする請求項１から３のいずれか１項に記載の地面用発光装置。
【請求項５】
前記溝形保持部材は、前記導光部材の底面を保持する保持部材底面部と、前記導光部材の側面を保持する保持部材側面部と、前記保持部材側面部から水平に延設され前記透光性部材を支持する支持用フランジと、を備え、
前記支持用フランジの一部に、フランジ切欠部が形成されていることを特徴とする請求項１から４のいずれか１項に記載の地面用発光装置。
【請求項６】
前記導光部材の両側に配置されるそれぞれの前記光源部材と前記光源部材とを接続するするハーネスは、前記基部の上面側に配置されていることを特徴とする請求項１から５のいずれか１項に記載の地面用発光装置。
【請求項７】
前記光源保持部材は、上方からのネジ止めによって前記溝形保持部材に固定可能であることを特徴とする請求項１から６のいずれか１項に記載の地面用発光装置。
【請求項８】
前記カバー部材は、前記基部の基部側面と同等の長さと、前記基部側面間の幅と同等の幅の上表面を有し、下面側が開口している箱型に形成されており、カバー部材の側面を形成するカバー側面の一部が切り欠かれているカバー切欠部を備えていることを特徴とする請求項１から７のいずれか１項に記載の地面用発光装置。
【請求項９】
前記カバー部材は、前記カバー側面の内側に補強リブを備えていることを特徴とする請求項８に記載の地面用発光装置。
【請求項１０】
前記カバー部材は、カバー部材の端面を形成するカバー端面部の一部が延出した延出片を備えていることを特徴とする請求項８又は９のいずれか１項に記載の地面用発光装置。
【請求項１１】
請求項１から１０のいずれか１項に記載の地面用発光装置が直列状に複数連結して配設されていることを特徴とする駅のプラットホーム。
【発明の詳細な説明】
【技術分野】
【０００１】
本発明は、地面に埋設されて、地面の一部を発光させる地面用発光装置及び地面用発光装置が配設された駅のプラットホームに関する。
【背景技術】
【０００２】
地面に設置されて地面の一部を発光させる発光装置としては、表面に６個の白色円形窓を設け、この白色円形窓の下にＬＥＤが取り付けられて、この白色円形窓が発光する発光装置がある（特許文献１）。
【０００３】
しかしながら、かかる発光装置は、点状に発光させることができるが、直線状の連続した光を発光させることができないという課題があった。点状の光は、直線状の発光体と比較して気づきづらい。そのため、例えば駅のプラットホームの危険表示と使用する場合は、より目立つように直線状の光を発生させることによって、より明瞭に危険性を報知させたいという要望があった。また、道の誘導灯として地面を発光させたい場合は、点線で表示するよりも直線状に表示した方がより誘導灯として認識しやすい。こうした点からも直線状の光を地面から発生させる装置が要望されていた。
【先行技術文献】
【特許文献】
【０００４】
【特許文献１】意匠登録第１３５９０６４号公報
【発明の概要】
【発明が解決しようとする課題】
【０００５】
本発明の目的は、地面から光を出射することができる地面用発光装置及びこの発光装置が配設された駅のプラットホームを提供することにある。
【課題を解決するための手段】
【０００６】
本発明は、上述の目的を達成するために以下の手段を採った。
【０００７】
本発明にかかる地面に埋設される地面用発光装置は、
光源としてＬＥＤを有する光源部材と、
前記光源部材からの光を端面から導入して上面から導出する長尺状の導光部材と、
前記導光部材の両側面及び底面の少なくとも一部を覆う溝形保持部材と、
前記導光部材の上面を覆うように配置され、上面に長尺状の凸部を有する透光性部材と、
前記凸部が略中央に挿入されて上表面に露出させる被挿入部を有するカバー部材と、
前記溝形保持部材が配置される断面略Ｕ字型の基部と、
を備えていることを特徴とする。
【０００８】
本発明は、光源部材とこの光源部材からの光を外部への出射する出射面を構成する透光性部材の間に導光部材を配置し、導光部材を介して光源部材の光を長尺状の出射面の形態の光にして出射する。導光部材を介することによって、地面用発光装置の上表面の出射面は、比較的均一の明るさを有する光を出射することができる。すなわち、本発明では、光源に指光性の高いＬＥＤを使用しているにもかかわらず、直接光源から透光性部材に光を当てる場合と比較して、導光部材内で複雑な拡散、反射を経て間接的に上面から出射されるので、拡散率が高く均一性の高い光を上面から出射することができる。また、光源部材の光を導光部材の端面から入射することで、地面用発光装置を上面から視認した際に、ＬＥＤを出射面から直接視認することを防止できる。よって、美観に優れた地面用発光装置を提供することができる。さらに、カバー部材によって、光源部材や螺合部材等の構成部品を隠すことができるので、美観性に優れた地面用発光装置とすることができる。また、底面に配置するのと比較してＬＥＤの数を減らすことができるため、省エネルギーに資する。
【０００９】
また、本発明にかかる地面用発光装置において、前記導光部材は前記側面に拡散ドットが形成されており、前記側面は、端面側から中央に向かうにしたがって前記側面の高さ方向の幅が狭くなるように底面及び前記側面が切り欠いて形成される切欠面を有するものであってもよい。かかる構成を採用することによって、上面の中央部分で出射する光の光量を増加させることができ、上面から出射する光をより均一な明るさの光にすることができる。
【００１０】
さらに、本発明にかかる地面用発光装置において、前記導光部材の切欠面には、補強用リブが形成されていてもよい。かかる構成を採用することによって、切欠面を有している場合であっても、導光部材の剛性が低下することを防止することができる。
【００１１】
さらに、本発明にかかる地面用発光装置において、前記導光部材の側面、底面又は端面側近傍の上面の少なくとも１以上の面に反射フィルム又はシートを設けたものであってもよい。導光部材の側面、底面又は端面側近傍の上面に反射フィルム又はシートを設けることで、導光部材の側面等から出射した光を反射させて効率よく導光部材内へ再導入し、導光部材の上面から効率よく光を出射することができる。
【００１２】
さらに、本発明にかかる地面用発光装置において、前記溝形保持部材は、前記導光部材の底面を保持する保持部材底面部と、前記導光部材の側面を保持する保持部材側面部と、前記保持部材側面部から水平に延設され前記透光性部材を支持する支持用フランジと、を備え、前記支持用フランジの一部に、フランジ切欠部が形成されているものであってもよい。かかる構成を採用することによって、導光部材の両側の側面及び底面の３つの面で導光部材を保持することができる。そのため、導光部材は安定した位置を保持することができる。また、溝形保持部材は、コネクタその他の部品を回避するようにフランジ切欠部が形成されている。そのため、コネクタ等の存在を考慮することなく容易に溝形保持部材を基部に取り付けることができる。また、溝形保持部材を基部に取り付けた後であっても、基部から溝形保持部材を取り外すことなく、部品を取り外しすることできる。例えば、コネクタを連結したり、外したり又は、光源部材を交換したりすることがきる。
【００１３】
さらに、本発明にかかる地面用発光装置において、前記導光部材の両側に配置されるそれぞれの前記光源部材と前記光源部材とを接続するハーネスは、前記基部の上面側に配置されていてもよい。かかる構成を採用することによって、ハーネスの取り回しがしやすくなる。また、基部に形成された水抜き穴によって、水や砂等は基部より下方に流れ落ちるため、ハーネスの周囲に砂やゴミが溜まることを防止することができる。
【００１４】
さらに、本発明にかかる地面用発光装置において、前記光源保持部材は、上方からのネジ止めによって前記溝形保持部材に固定可能であってもよい。かかる構成を採用することによって、地面用発光装置が地面に埋設された状態でもドライバー等によって容易に光源部材の交換をすることができる。
【００１５】
さらに、本発明にかかる地面用発光装置において、前記カバー部材は、前記基部の基部側面と同等の長さと、基部側面間の幅と同等の幅の上表面を有し、下面側が開口している箱型に形成されており、カバー部材の側面を形成するカバー側面の一部が切り欠かれているカバー切欠部を備えているものであってもよい。かかる構成を採用することによって、光源部材及び導光部材は、上面側、側面側及び端面側がカバー部材で覆われ、底面側が後述する基部の基部底面部で覆われる。つまり、光源部材及び導光部材は周囲全体が囲われることになる。そのため、光源部材及び導光部材が雨やダストに直接晒されることが極力防止され、これによって故障したり、損傷したりする可能性を低減することができる。また、カバー切欠部を備えることによって、コネクタの位置を気にすることなく、カバー部材を基部に取り付けることができる。
【００１６】
さらに、本発明にかかる地面用発光装置において、前記カバー部材は、カバー側面の内側に補強リブを備えているものであってもよい。かかる構成を採用することによって、カバー切欠部を形成したことによるカバー部材の剛性低下を防止することができる。
【００１７】
さらに、本発明にかかる地面用発光装置において、前記カバー部材は、カバー端面部の一部が延出した延出片を備えているものであってもよい。かかる構成を採用することによって、地面用発光装置の端面側から光が漏れることを防止することができる。
【００１８】
また、本発明にかかる駅のプラットホームは、前述した地面用発光装置を直列状に複数連結して配設されていることを特徴とする。かかる構成を採用することによって、駅のプラットホームの白線の代わりに上面のみを露出するように埋設されて、電車が近づいて来た際に、信号を送って発光させる警告表示として使用することができる。
【発明の効果】
【００１９】
本発明の地面用発光装置によれば、直線状の光を地面から出射することができ、種々のサインとして使用することができる。
【図面の簡単な説明】
【００２０】
【図１】図１は、第１実施形態にかかる地面用発光装置１００の分解斜視図である。
【図２】図２は、第１実施形態にかかる地面用発光装置１００の他の方向から視た分解斜視図である。
【図３】図３は、第１実施形態にかかる地面用発光装置１００の一部拡大斜視図である。
【図４】図４は、第１実施形態のかかる地面用発光装置１００の導光部材２０の斜視図である。
【図５】図５は第１実施形態のかかる地面用発光装置１００の導光部材２０のバリエーションを示す側面図である。
【図６】図６は、第１実施形態のかかる地面用発光装置１００の導光部材２０のバリエーションを示す斜視図及び側面図である。
【図７】図７は、第１実施形態のかかる地面用発光装置１００の導光部材２０の拡散ドット２４のバリエーションを示す斜視図である。
【図８】図８は、導光部材２０にフィルム又はシート９６を設ける状態を示した斜視図である。
【図９】図９は、第１実施形態にかかる地面用発光装置１００の断面図である。
【図１０】図１０は、第１実施形態にかかる地面用発光装置１００のカバー部材５０のバリエーションを示す斜視図である。
【図１１】図１１は、第１実施形態にかかる地面用発光装置１００の斜視図である。
【図１２】図１２は、第１実施形態にかかる地面用発光装置１００を地面に埋設する方法を示す断面図である。
【図１３】図１３は、第１実施形態にかかる地面用発光装置１００を地面に埋設する際に、高さを調整する方法を示す断面図である。
【図１４】図１４は、第１実施形態にかかる地面用発光装置１００を埋設したプラットホームを示す斜視図である。
【発明を実施するための形態】
【００２１】
本発明にかかる地面用発光装置の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。また、各図において対応する構成要素には同一又は類似の符号が付されている。なお、本明細書及び特許請求の範囲において、説明の便宜上、上面側、端面側、底面側、側面側とは、図１に示した方向をいい、上面、側面、底面とはそれぞれの構成部品のうち、それぞれの方向にある面をいう。また、「地面」との用語は、地表という意味のみではなく、建造物等の表面、例えば、駅のプラットホーム、階段の踊り場等をも含む意味である。
【００２２】
（第１実施形態）
第１実施形態にかかる地面用発光装置１００について図を参照しつつ説明する。図１及び図２は、第１実施形態にかかる地面用発光装置１００の分解斜視図である。
【００２３】
第１実施形態にかかる地面用発光装置１００は、図１又は図２に示すように、主として、光源部材１０、導光部材２０、導光部材２０を保持する溝形保持部材３０、透光性部材４０、カバー部材５０、エンドプレート７０及びこれらが配置される基部６０を備えている。
【００２４】
光源部材１０は、図３に示すように発光ダイオードからなる光源１１と、この光源１１が取り付けられた基板１２とを備えている。光源１１の光の色は、限定されるものではなく、例えば、白色、赤色、橙色、黄色、緑色、青色、藍色又は紫色のいずれかの色若しくはそれらの色の組み合わせ等であってもよい。また、光源１１には、白色のＬＥＤを使用し、光源１１と導光部材２０との間に、透明カラーフィルム等の有色透明のフィルム又はシートを配して有色の光にしてもよい。
【００２５】
光源部材１０は、導光部材２０の片方又は両方の端面２１に配置される。光源部材１０が導光部材２０の底面２５（図４参照）ではなく、導光部材２０の端面２１に配置することによって、導光部材２０を上面２２から視認した際に、ＬＥＤの光源１１が直接視認されることを防止できる。よって、美観に優れた地面用発光装置１００とすることができる。また、端面２１から入射した光は、導光部材２０内で複雑な拡散、反射を経て間接的に上面から出射されるので、拡散率が高く均一性の高い光を上面２２から出射することができる。図１に示すように、光源部材１０と光源部材１０とを連結するハーネス９１は、基部６０の上面側に配置される。
【００２６】
光源保持部材１３は、光源部材１０を導光部材２０の端面２１近傍に保持する部材であり、導光部材２０の端面２１に対面するように配置される。光源保持部材１３は、光源部材１０が貼着される貼着面１３ａと、この貼着面１３ａの両側からコの字状に導光部材２０の側面２３に平行に配置される延出側面片１３ｂと、この延出側面片１３ｂから内側へ延出した延出水平片１３ｃと、貼着面１３ａの上方から水平方向へ延出され、光源部材１０の上方及び導光部材２０の端部上面２２ａの上方に配置される光源上面片１３ｄとを有する。延出水平片１３ｃには、ネジ貫通孔１３ｅが形成されており、このネジ貫通孔１３ｅを介して、溝形保持部材３０に固定用ネジ９０で固定される。光源上面片１３ｄは、一般に、導光部材２０を介して発光させる場合、導光部材２０の端部が強く発光し、輝線が発生したり、眩しく見えたりする可能性があることから、導光部材２０の端部から強い光が視認されたり、端部がまぶしくなったりすることを防止するために、端部上面２２ａの上方を覆うためのものである。光源保持部材１３は、貼着面１３ａの内面に両面テープ等によって光源部材１０が貼着された後、固定用ネジ９０で上述したように溝形保持部材３０に固定され、光源部材１０を導光部材２０の端面２１に保持する。なお、光源保持部材１３の固定方法はこれに限定するものではなく、その他の固定手段（例えば、基部６０に直接固定したり、導光部材２０に直接貼り付けたりする等）を採用することも可能である。導光部材２０の両側の端面２１に配置された２つの光源部材１０は、図１に示すように、ハーネス９１によってコネクタ９２を介して連結される。なお、光源部材１０の各構成部品全体は、雨等の水による損傷を低減するため、透明なシリコン等で覆うといった防滴加工又は防水加工を施しておくとよい。
【００２７】
導光部材２０は、メタクリル樹脂からなる長細い棒状の略直方体に形成されており、光源部材１０から光が両側の端面２１から入射され、上面２２から出射される。上面２２は長尺の長方形に形成されているため、上面２２から出射された光は、透光性部材４０を介して長尺状に視認される。導光部材２０の素材としては、例えば、メチルメタクリレートやエチルメタクリレート等のメタクリル樹脂の他、メチルアクリレート、エチルアクリレート等のアクリル製樹脂、ポリカーボネート、ポリエチレン等の種々の素材を用いることができ、透過性を有する素材であれば特に限定するものではない。さらに、導光部材２０は、可視光を拡散可能な微粒子状の拡散剤を添加してもよい。
【００２８】
導光部材２０は、図４に示すように、側面２３は端面２１側から中央に向かうにしたがって側面２３の高さ方向の幅が狭くなるように底面２５及び側面２３が切り欠いて形成される切欠面２８を有する。光が入射される両側の端面２１の面積が大きくなるように四角形の端面を形成するとともに、導光部材２０の長手方向中心で底面２５の部分が最も狭くなる台形断面（全体で６角形）となるように形成される。すなわち、長手方向中心に向かうにつれて徐々に導光部材２０の断面積が小さくなるように形成される。このように徐々に断面積が小さくなるように形成することで、上面２２の中央部分で出射する光の光量を増加させることができる。また、導光部材２０の底面２５の中央には、切り欠いたことによって導光部材２０の剛性が弱くなるのを防止するために補強用リブ２９が設けられている。
【００２９】
なお、導光部材２０としては、他の種々の構成を採用することができる。例えば、シンプルに完全な直方体の導光部材２０を使用してもよい。また、より光を上方へ反射させやすいように、図５Ａに示したように、底面２５に三角形状の切り欠き２６を形成した導光部材２０を用いてもよい。さらに、図５Ｂに示したように導光部材２０の中心から両側の端面２１側に向かって底面２５がなだらかな傾斜面を有するものを使用してもよい。さらに、図５Ｃに示したように、導光部材２０の底面２５に溝２７を形成してもよい。さらに、導光部材２０は、図６に示すように、光が入射される両側の端面２１の面積が中心と比較して大きくなるように形成して入射光の取りこぼしの低減を図るとともに、光出射面である上面２２への光の反射効率の向上のため、底面２５の部分が狭くなった台形断面となるように形成してもよい。
【００３０】
導光部材２０は、図１又は図３に示すように、入射された光を拡散光として導出する拡散ドット２４が側面２３に形成されていてもよい。拡散ドット２４としては、例えば、図７Ａに示すように、略四角錐形状に凹む凹部からなり、四角錐底面に相当する位置が導光部材２０の両側の側面２３に位置するように設けられる。この拡散ドット２４が設けられることにより、導光部材２０の端面２１から入射された光が拡散ドット２４で拡散し、上面２２から光が導光される。この拡散ドット２４を形成する四角錐底面の各頂点を結ぶ各対角線は、導光部材２０の各辺とそれぞれ略平行となるように設けるとよい。このように形成すれば、端面２１から入射した光が拡散ドット２４の各辺と交差する関係になるため、入射した光を上面２２へ拡散させやすくなる。なお、個々の四角錐形の拡散ドット２４の大きさは、同じであっても異なっていても良い。例えば、光源１１から遠ざかるにつれて、四角錐形の拡散ドット２４の各辺を徐々に長くしたり、四角錐形の拡散ドット２４の深さを徐々に深くしたりしても良い。こうすれば、光源１１から近く光が強い位置では屈曲される光量が小さくなり、光源１１から遠ざかるにつれて屈曲される光量が大きくなるため、上面２２に到達する光の光量を均等に近づけることができる。本実施形態では拡散ドット２４の各辺の長さが約０．９ｍｍ、深さが約０．７５ｍｍであり、隣り合う四角錐形の拡散ドット２４間のピッチが３．５ｍｍに形成される。しかし、これに限定するものではなく、四角錐形の拡散ドット２４の各辺の長さは、例えば、０．６ｍｍ〜２．０ｍｍであっても良い。また、四角錐形の拡散ドット２４の深さは、例えば、０．４ｍｍ〜１．５ｍｍであっても良い。また、隣り合う四角錐形の拡散ドット２４間のピッチについても特に限定するものではなく、例えば、約１．５ｍｍ〜約８．０ｍｍのピッチの間から適宜選択することができる。好ましくは、１．５ｍｍ〜４．５ｍｍのピッチに作製するとよい。
【００３１】
また、拡散ドット２４として形成される拡散凹部の形状及び大きさは、特に限定するものではない。適宜様々な形状及び大きさの拡散凹部からなる拡散ドット２４を採用することができる。具体的ないくつかの例を図に示す。図７Ｂは、円錐側の拡散凹部からなる拡散ドット２４を示している。図７Ｃは、四角柱型の拡散凹部からなる拡散ドット２４を示している。図７Ｄは、四角錐台形の拡散凹部からなる拡散ドット２４を示している。図７Ｅは、半球型の拡散凹部からなる拡散ドット２４を示している。さらに、図示しないが、拡散凹部は必ずしもドットである必要はなく溝であっても構わない。また作製方法としては、超音波加工、加熱加工、レーザー加工、切削加工等種々の加工方法を採用することができる。また、例えば、図７Ｆに示すように、凸状の膨らんだ拡散凸部であってもよい。拡散凸部は、クリーン印刷やシルク印刷等によって、盛り上がるように（凸状）主面に形成する。
【００３２】
また、図１に示すように、導光部材２０の上面２２にも側面と同様の拡散ドットや異なる形状の凹凸を形成してもよい。好ましくは、レンズ効果による面状発光効率及び発光性の均一化を向上させるため、回折格子２６を形成するとよい。回折格子２６は、凹凸状の溝が一定の配列に並列して形成されており、溝形状には、鋸歯形、正弦波形、矩形等が採用される。さらに、導光部材２０の上面２２には、薄いブラストを当てることによって粗面に形成されてもよい。粗面に形成することで、拡散効果を高めることができる。
【００３３】
また、導光部材２０の両方の側面２３、底面２５及び上面２２のうち端面側近傍、特に光源保持部材１３に覆われる端部上面２２ａには、図８に示すように、それぞれ反射フィルム又はシート９６を設けるとよい。反射フィルム又はシート９６を貼着することによって、導光部材２０の側面２３又は底面２５から出射した光を反射させて効率よく導光部材２０内へ再導入し、導光部材２０の上面２２から光を出射することができる。
【００３４】
溝形保持部材３０は、図９に示すように、導光部材２０を保持する部材であり、保持部材側面部３２と保持部材底面部３３によって断面がＵ字形の部分を有し、このＵ字形の部分で保持される。保持部材側面部３２の上端からに直角に水平に形成される支持用フランジ３１が形成される。保持部材側面部３２間の幅（溝の幅）は、導光部材２０の厚さと同じか又はわずかに広い間隔に形成され、導光部材２０を隙間なく又はわずかに隙間を開けて嵌めることができる。溝形保持部材３０は、皿ネジ９５で基部６０に固定される。また、支持用フランジ３１には、カバー部材５０との固定に使用される第１螺刻孔３９が形成されている。保持部材側面部３２及び保持部材底面部３３は、反射面又は鏡面に形成してもよい。保持部材側面部３２及び保持部材底面部３３を反射面又は鏡面に形成すれば、底面２５及び上面２２のうち光源保持部材１３に覆われる端部上面２２ａにそれぞれ反射フィルム又はシート９６を設けることなく、導光部材２０の側面２３又は底面２５から出射した光を反射させて効率よく導光部材２０内へ再導入し、導光部材２０の上面２２から光を出射することができる。また、溝形保持部材３０の両端側には、図３に示すように、支持用フランジ３１より一段低く形成された光源保持部材１３を固定する端部フランジ３６が形成されている。この端部フランジ３６には、前述した光源保持部材１３のネジ貫通孔１３ｅに対応するように光源保持部材固定用貫通孔３８が形成されている。さらに、溝形保持部材３０は、図１に示すように両端に配置される光源部材１０の間を架設するハーネス９１を連結するコネクタ９２との干渉を防止し、かつ溝形保持部材３０を基部６０から取り外すことなく、取り付け取り外しをすることができるように、フランジ切欠部３７が４箇所設けられている。
【００３５】
透光性部材４０は、図１に示すように、透明なプラスチックで板状に作製される。透光性部材４０の素材としては、例えば、メチルメタクリレートやエチルメタクリレート等のメタクリル樹脂の他、メチルアクリレート、エチルアクリレート等のアクリル製樹脂、ポリカーボネート、ポリエチレン等の種々の素材を用いることができ、透過性を有する素材であれば特に限定するものではない。光を透過しさえすれば、無色透明でもよいし、有色透明、無色半透明、有色半透明等であってもよい。例えば、透光性部材として乳半板のような拡散板を使用すれば、導光部材２０の上面２２から出射される光を拡散することができ、より均一性の高い長尺状の光を地面から発光させることができる。透光性部材４０は、後述する箱状のカバー部材５０内に収まる大きさ及び形状に作製される。透光性部材４０の略中央には、外部へ露出して上表面を形成するととともに光の出射面をなす長方形の上面を有する凸部４１が形成される。凸部４１は、導光部材２０の上面２２の大きさと同じかやや大きく形成するとよい。透光性部材４０には、アッセンブリーされた際に移動しないように、透光性部材４０の凸部４１の両側の中央にＵ字状の位置決め切欠き４２が形成される。この位置決め切欠き４２の長手方向の両側には、さらに大きく形成された第２切欠き４３が形成されている。これらは、カバー部材５０と組み合わされた際に、カバー部材５０の内面側の形状と干渉することを防止するとともにカバー部材５０の内面と接するように配置することで、互いに移動しないようにする位置決め機能を有する。透光性部材４０は、溝形保持部材３０の支持用フランジ３１の上面に配置される。これにより、透光性部材４０は溝形保持部材３０の支持用フランジ３１によって支持されるため、上面に人や自動車等が載った場合に透光性部材４０の変形を抑えることができ、透光性部材４０が損壊する可能性を低減することができる。また、透光性部材４０は、図２に示すように、裏面に位置決め用の突出部４４が形成されている。溝形保持部材３０の支持用フランジ３１に形成されている位置決め用孔３４と嵌合することによって、透光性部材４０と溝形保持部材３０とが相互に移動しないように位置決めされる。
【００３６】
カバー部材５０は、黒色不透明のポリカーボネートによって、上表面の中央に透光性部材４０の凸部４１と同様の形状の開口５１が形成され、下面側全体が開口する箱型に形成される。カバー部材５０の幅は、基部６０の基部側壁部６３の間隔と同様の幅に形成され、カバー部材５０の長さは、基部６０の長手方向の長さと同様の長さに形成される。すなわち、基部６０に取り付けた際に、カバー部材５０の上表面によって基部６０の基部側壁部６３間の上面全体をカバーすることができる。カバー部材５０のカバー側壁部５２及びカバー端面部５３の高さは、図１に示すように、基部６０の基部側壁部６３内側の高さ（図９のγ）とほぼ同じ高さに形成して、カバー側壁部５２及びカバー端面部５３で光源部材設置領域αの周囲を完全に覆うように形成するとよい。基部６０との隙間には、できる限り雨水等の水の浸入を防止するために、コーキング剤やシーリング剤等によって隙間を埋めることが望ましい。カバー部材５０には、図１に示すように、溝形保持部材３０の支持用フランジ３１の第１螺刻孔３９に相当する位置にカバー部材固定用孔５８が形成されており、図２に示すように、その底面側に突出部５５が形成されている。中央の突出部５５は、前述した透光性部材４０の位置決め切欠き４２の切欠き形状と同様の形状に形成されており、この突出部５５に透光性部材４０の位置決め切欠き４２が嵌め込まれて、互いの位置が移動しないように位置決めがされる。さらに、カバー部材５０のカバー側壁部５２には、コネクタ９２との干渉を回避するために、カバー切欠部５６が形成されている。このカバー切欠部５６の上方側壁内側には、強度補強用の補強リブ５７が形成されている。この補強リブ５７と近傍の突出部５５は、透光性部材４０の第２切欠き４３と適合し、互いに位置決めがされる。さらに、カバー部材５０のカバー端面部５３は、下方に延設する延設片５４が形成されている。これにより、基部６０との隙間から光が漏れることが防止される。
【００３７】
カバー部材５０の上表面は、平面であってもよいが、図１に示すように、上表面に円柱状の突出した複数の突起５９を互い違いに形成してもよい。かかる構成を採用することによって、突起５９によって滑り止めの効果を上表面に与えたり、視覚障害者用ブロックの突起と同じ形状及び同じピッチで複数の突起を形成すれば、視覚障害者用誘導路しても使用したりすることができる。その他、図１０Ａに示すように、突起５９を格子状に設けてもよい。また、複数の突起５９の個々の形状は限定するものではなく、図１０Ｂに示すように、四角形の突起５９であってもよいし、例えば、星型や三角形であってもよい（図示しない。）。さらに、滑り止め加工としては、必ずしも複数の突起で構成する必要はなく、図１０Ｃに示すように、カバー部材５０の上面を波状に形成したり、上面を梨地状に設けたり（図示しない。）又はこれらを組み合わせたりしてもかまわない。
【００３８】
カバー部材５０は、開口５１を除き、光源１１の光が外部に導出されるのを防止し、開口５１からのみ透光性部材４０の凸部４１を介して光が外部に導出される。すなわち、凸部４１の上面が光出射面を形成し、輪郭のはっきりした長方形の光を出射することができる。
【００３９】
基部６０は、図１に示すように、断面がＵ字形状のＵ字鋼からなる。Ｕ字鋼の両側の端面側の基部底面部６１は、外部電源と連結する電源コード等を通過させるための電源コード用切欠部６２が形成されている。この基部６０の下方には、基部側壁部６３の約半分程度の側壁高さを有する第２Ｕ字鋼８０がボルト９３とナット９４（図２参照）によって固定されている。地面用発光装置１００は、比較的振動する部位に使用される可能性があるので、ナット９４は、耐振動性の高い緩み防止ナットを使用するとよい。基部６０と第２Ｕ字鋼８０とは、それぞれが互いに水平方向へずれることを防止するために、それぞれ端部近傍に被係止部６４及び係止部８１が形成されている。この係止部８１と被係止部６４が係止されることで、互いに位置決めされ、水平方向へずれることが防止される。下方に第２Ｕ字鋼８０が取り付けられることによって、図９に示すように、基部底面部６１の上面側である光源部材１０等が配置される表面側の光源部材設置領域αと、基部底面部６１の下面側である配線部が配置される裏面側の下層領域βとに区画される。これにより、光源部材１０をより上方側に配置することができ、導光部材２０の出射面をより上表面近くに配置することができる。そのため、同じ強さの光源１１を使用した場合、より強い光を上面から出射することができる。また、光源部材設置領域αと下層領域βとが基部底面部６１で区画されていることから、なお、基部底面部６１には、透光性部材４０の内側に水抜孔６５が複数形成され、光源部材設置領域αに侵入した水や砂を下層領域βへ流下させる。そのため、基部６１の上面側、すなわち光源部材設置領域αに配置されるため、ハーネスが水や砂に晒され続けることが防止される。さらに、基部側壁部６３及び第２Ｕ字鋼８０の第２Ｕ字鋼側壁部８２の表面には、それぞれ長手方向へ伸びる横溝６６が形成される。この横溝６６を形成することによって地面用発光装置１００を地中内に埋設した際に、基部６０と地中との間に打設されるモルタルとの食いつき性を向上させて地面との一体性の向上を図ることができる。
【００４０】
エンドプレート７０は、図１に示すように、地面用発光装置１００の端面を覆うカバーである。エンドプレート７０は、複数の地面用発光装置１００を隣接するように配置した場合には、両末端に配置される地面用発光装置１００に取り付けられる。図１においては、一番端部で左端部側にのみエンドプレート７０が取り付けられる状態を表している。なお、複数の地面用発光装置１００が互いに間隔を開けて配置される場合には、両端面に取り付けられる。エンドプレート７０には、爪７１が４つ設けられていて、この爪７１によって横溝６６に引っ掛けて、基部６０の端面に取り付けることができる。なお、エンドプレート７０には、電源用コードやハーネス（図示しない）を通すためのコード用貫通穴７２が形成されている。
【００４１】
以上のように作製されるそれぞれの構成部品は、以下のようにして組み立てられる。まず、基部６０の基部底面部６１に溝形保持部材３０が載置され、皿ネジ９５で固定する。次に、導光部材２０が溝形保持部材３０の溝内に嵌め込まれる。そして、導光部材２０の両側の端面２１に光源部材１０が対面するように光源保持部材１３を溝形保持部材３０の端部フランジ３６のネジ貫通孔１３ｅと光源保持部材固定用貫通孔３８を固定用ネジ９０で固定する。次いで、透光性部材４０が、透光性部材４０の凸部４１を上面側にした状態で、突出部４４を溝形保持部材３０の支持用フランジ３１に形成されている位置決め用孔３４に嵌合させるように載置する。そして、カバー部材５０の開口を下側にした状態で、光源部材１０、導光部材２０及び溝形保持部材３０の両端面側、両側面側及び上面側を覆うようにして基部６０の光源部材設置領域α側に嵌め込まれる。そして、カバー部材固定用孔５８と溝形保持部材３０の支持用フランジ３１の第１螺刻孔３９とがネジ等の螺合部材９８で固定され、図１１に示すように地面用発光装置１００が完成する。
【００４２】
こうして作製される地面用発光装置１００は、図１２に示すように設置予定箇所の地面Ｚに設置され、周囲に固定用の生コンクリートＸを打設し、生コンクリートＸが溝内に入り込みつつ固化することで、地中内に堅固に固定される。なお、地面用発光装置１００を設置する場所に、図１３に示すように、設置を予定している地面Ｚに穴を形成し、この穴に高さ調整用のボルト８５によって高さを調整することができる底面板８６を敷設してもよい。これにより、レンチＹを挿入してボルト８５を回転することによって、地面用発光装置が配置される底面板の高さを調整することができる。この場合に、ボルト８５の位置に合わせて基部６０及び第２Ｕ字鋼８０にレンチＹ用の孔を設けておけば、基部６０及び第２Ｕ字鋼８０を設置した状態のまま底面板の高さの位置を調整することができる。
【００４３】
こうして取り付けられた地面用発光装置１００は、例えば、図１４に示すように、駅のプラットホームＷ等に白線の代わりに上面のみを露出するように埋設されて、電車が近づいて来た際に、信号を送って発光させる警告表示として使用したり、図示しないが歩道等に使用して道の誘導灯として使用したりすることができる。この際に、地面用発光装置１００の上面の発光部は、矢印に示したように、上方に向かって発光し、略直線状に視認される。
【００４４】
第１実施形態にかかる地面用発光装置１００によれば、導光部材２０の両方の側面２３、底面２５及び端部上面２２ａにそれぞれ反射フィルム又はシート９６を設けることで
光源１１によって端面２１から入射された光は、光が周囲に漏れることが防止され、導光部材２０の上面２２からのみ出射される。また、導光部材２０の側面２３又は底面２５から出射した光を反射させて効率よく導光部材２０内へ再導入し、導光部材２０の上面２２から光を出射することができる。この際に、導光部材２０の側面２３は拡散ドット２４が形成されているので、端面２１から入射された光が拡散ドット２４で拡散されて効率よく上面２２から光が出射される。
【００４５】
また、第１実施形態にかかる地面用発光装置１００によれば、透光性部材４０は、溝形保持部材３０の支持用フランジ３１に支持されているため、上表面に人や自動車等が載った場合であっても、透光性部材４０のたわみを抑えることができ、損壊する可能性を低減することができる。また、カバー部材５０は容器状に形成されているため、光源部材１０及び導光部材２０は、両側面側、両主面側及び上面側がカバー部材５０で覆われることになり、底面側が基部６０の基部底面部６１で覆われることになる。つまり、光源部材１０及び導光部材２０等の構成部品の周囲全体が囲われることになる。よって、光源部材１０及び導光部材２０が雨やダストに直接晒されることが防止される。そのため、光源部材１０及び導光部材２０が故障する可能性を低減することができる。
【００４６】
さらに、第１実施形態にかかる地面用発光装置１００によれば、カバー部材５０を取り外せば、基部６０に取り付けられている導光部材２０、溝形保持部材３０、透光性部材４０等は、地面用発光装置１００を路面から取り外すことなく交換することができる。そのため、導光部材２０、溝形保持部材３０、透光性部材４０等が故障した場合にも、修理がし易い地面用発光装置１００を提供することができる。
【００４７】
さらに、上述した第１実施形態においては、透光性部材４０を固定するのに皿ネジを使用しているが、いたずら防止のために、トルクス（登録商標）ネジやヘクサロビュラネジ、ヘクスローブ等のように通常のドライバー等の工具で外すことができないネジを使用するとよい。
【００４８】
さらに、上述した第１実施形態において、皿ネジ９５やその他ボルト等の締結具を種々使用しているが、耐水性、防塵性等の要求に応じて適宜シリコン等を注入して保護するとよい。
【００４９】
さらに、上述した第１実施形態においては、カバー部材５０は、黒色不透明なポリカーボネート製としたが、黒色不透明な色の部材に限定するものではない。不透明な素材であれば、線状の光がより際立って見える効果があるが、不透明であっても線状に見えるため使用することが可能である。
【００５０】
さらに、上述した第１実施形態においては、透光性部材４０として、無色透明なポリカーボネートを使用したが、これに限定するものではなく、透光性部材４０としては、必ずしも透光性部材４０全体が光透過性を有している必要はなく、一部にだけ光が透過する素材を使用してもよい。例えば、透光性部材４０を凸部のみポリカーボネート等の透過性を有する素材で形成して、その両側を金属性の部材で作製するという具合に形成してもよい。こうした構成を採用することで、ポリカーボネートの領域を狭く形成することができるので、上面からの圧力に対して頑丈になり、重量物が載置しても透光性部材４０が損傷する可能性を低減することができる。
【００５１】
さらに、上述した実施形態においては、第１実施形態の導光部材２０として、側面に拡散ドット２４を有する導光部材２０を採用したが、拡散ドット２４は側面のみに限定するものではなく、導光部材２０の底面２５や上面２２に拡散ドット２４を形成してもよい。また、拡散ドットの代わりに、エンボス加工やブラスト加工をしたものを使用しても構わない。
【００５２】
さらに、上述した実施形態においては、カバー部材５０の光出射面として開口５１に形成し、透光性部材４０は、開口５１と同一の形状に形成された凸部４１を有するものとしたが、これに限定するものではなく、例えば、カバー部材５０の光出射面として透明な部材、例えば、強化ガラスやポリカーボネート等で作製された窓を設けて、透光性部材４０は光出射面に相当する位置は平面に形成してもよい。また、カバー部材５０の素材としては、凸凹の滑り止め表面を有するものを使用したり、さらに、公園等で景観を考慮する場合には木質の素材を使用したりしても構わない。さらには、より耐久性を向上させるために金属製であってもよい。
【００５３】
また、上述した実施形態においては、両方の側面２３、底面２５及び上面２２のうち光源保持部材１３に覆われる端部上面２２ａにそれぞれ反射フィルム又はシート９６を設けるものとしたが、反射フィルム又はシート９６を設けないものとしてもよい。
【００５４】
また、上述した第１実施形態においては、溝形保持部材３０の保持部材側面部３２及び保持部材底面部３３は、反射面又は鏡面に形成すれば、反射フィルム又はシート９６を設けなくても反射フィルム又はシート９６を貼着したのと同等の効果を発揮することができる。
【産業上の利用可能性】
【００５５】
上述した実施の形態で示すように、地面に設置される発光装置として利用することができる。
【符号の説明】
【００５６】
１０…光源部材、１１…光源、１２…基板、１３…光源保持部材、
１３ａ…貼着面、１３ｂ…延出側面片、１３ｃ…延出水平片、
１３ｄ…光源上面片、１３ｅ…ネジ貫通孔、２０…導光部材、
２１…端面、２２…上面、２２ａ…端部上面、
２３…側面、２４…拡散ドット、２５…底面、２６…回折格子、
２７…溝、２８…切欠面、２９…補強用リブ、３０…溝形保持部材、
３１…支持用フランジ、３２…保持部材側面部、３３…保持部材底面部、
３４…位置決め用孔、３６…端部フランジ、３７…フランジ切欠部、
３８…光源保持部材固定用貫通孔、３９…第１螺刻孔、４０…透光性部材、
４１…凸部、４４…突出部、５０…カバー部材、５１…開口、
５２…カバー側壁部、５３…カバー端面部、５４…延設片、５５…突出部、
５６…カバー切欠部、５７…補強リブ、５８…カバー部材固定用孔、
５９…突起、６０…基部、６１…基部底面部、６２…電源コード用切欠部、
６３…基部側壁部、６４…被係止部、６５…水抜孔、６６…横溝、
７０…エンドプレート、７１…爪、８０…第２Ｕ字鋼、８１…係止部、
８２…第２Ｕ字鋼側壁部、８５…ボルト、８６…鉄板、９０…固定用ネジ、
９１…ハーネス、９２…コネクタ、９３…ボルト、
９４…ナット、９５…皿ネジ、９６…シート、９８…螺合部材、
１００…地面用発光装置
【図１】
2013258132.tif 000003
【図２】
2013258132.tif 000004
【図３】
2013258132.tif 000005
【図４】
2013258132.tif 000006
【図５】
2013258132.tif 000007
【図６】
2013258132.tif 000008
【図７】
2013258132.tif 000009
【図８】
2013258132.tif 000010
【図９】
2013258132.tif 000011
【図１０】
2013258132.tif 000012
【図１１】
2013258132.tif 000013
【図１２】
2013258132.tif 000014
【図１３】
2013258132.tif 000015
【図１４】
2013258132.tif 000016